(57)【要約】      （修正有）【課題】難渋する大腸内視鏡の挿入手技をシースを自動移動式とする事で容易なものとし、回腸、腔腸までの挿入を可能とする。【解決手段】後方注入チューブ５より空気を送り後方バルーン４を拡張し後方バルーン台１を腸管に固定し、後方バルーン弁２の後退で塞がれていた後方弁孔１８より空気が体部中空層７に流入しシースの体部が伸展して前方移動バルーンリング１３を前方へ押し進め、前方バルーン弁１２が牽引糸１１に牽引され塞がれていた前方弁孔２０が開き前方バルーン１５が拡張し前方移動バルーンリング１３が腸管に固定される。後方注入チューブ５より空気を陰圧で引き、後方バルーン４を縮小させ、シースの体部が収縮する事で後方バルーン台１は前方へ引き寄せられ腸管内を前進し、前方バルーン１５が収縮して前進運動を終える。腸内視鏡ファイバーにストッパーを設け、大腸内視鏡ファイバーをシースの前進に合わせ奥へ進めてゆく。【選択図】図１
2006026372.tif 000002
【特許請求の範囲】
【請求項１】
後方バルーン台１を体部伸展シース部８、前方注入チューブ移動管９、伸展ゴム外套１０により前方移動バルーンリング１３と内部を密閉する形態で連結したもので、後方バルーン台１には後方注入チューブ５、後方バルーン４、後方伸展シース部３、前方注入チューブ１７、牽引糸１１、後方バルーン弁２、後方弁孔１８を取り付け、前方移動バルーンリング１３には前方バルーン１５、リング部チューブ移動管２１、前方バルーン弁１２、バネ１４、前方弁孔２０を取り付け、前方バルーン弁１２の後方を牽引糸１１と連結した自動移動式の大腸内視鏡用シースで、大腸内視鏡ファイバー先端を後方シース管１９よりリング部シース管２２へと通し、シースが大腸内視鏡ファイバーの先端より前に出ない様に大腸内視鏡ファイバーにストッパーを設ける事で大腸内視鏡ファイバーをシースの前進に合わせ奥へ進めてゆく自動移動式のシースで有る。
【請求項２】
前方弁孔２０、前方バルーン弁１２を用いず、前方バルーン１５の拡張、収縮を前方バルーン専用注入チューブ２３にて行い前方バルーン専用注入チューブ移動管２４を後方バルーン台１に設けた本発明。
【発明の詳細な説明】
【考案の詳細な説明】
【技術分野】
【０００１】この発明は、大腸内視鏡の挿入を容易にする自動移動式の大腸内視鏡シースに関するものである。
【背景技術】
【０００２】従来の大腸内視鏡シースは肛門部から直腸、Ｓ状結腸、下行結腸に固定し、Ｓ状結腸の屈曲、蛇行部を回避して大腸内視鏡ファイバーが撓む事無くスムーズに奥へ挿入できる様にしたものであり、シース事体が移動する物は無く、大腸内視鏡を奥へ進める機能は備わっていなかった。又、大腸内視鏡ファイバーの挿入は熟練の医師ですら時間を要し、患者に少なからず苦痛を強いるものとなっている。理由は大腸内視鏡ファイバーをある程度の力で外から押したり引っ張ったりしなければ奥へは進めない部位が少なからず存在するからであり、外から加える力が大腸内視鏡ファイバーの先端に伝えずらい事が原因となっている。近年ダブルバルーン式のファイバーが開発され小腸までの観察が可能となっているが、やはり外から押したり引っ張ったりする作業が主体であり、先端に力が伝えずらい状態は改善されておらず一般の大腸カメラ検査より遥かに長い時間と苦痛を患者に強いるものとなっている。
【発明が解決しようとする課題】
【０００３】この発明は難渋する大腸内視鏡の挿入手技を容易とすると共に、大腸内視鏡をそのまま使い、小腸の奥までの挿入を可能とする為に発案された物であり、シースを移動式とする事で大腸内視鏡ファイバーの腸管管腔への摩擦を軽減しながら撓みを減少させてファイバーの奥への挿入をより容易な状態とし、シースが大腸内視鏡ファイバーの先端より前に出ない様に大腸内視鏡ファイバーにストッパーを設けた場合、大腸内視鏡ファイバーをシースの前進に合わせ奥へ進めてゆく事が可能となった。これを以下図面にて説明する。
【課題を解決する為の手段】
【０００４】後方バルーン台１を体部伸展シース部８、前方注入チューブ移動管９、伸展ゴム外套１０により前方移動バルーンリング１３と内部を密閉する形態でしっかりと連結する。後方注入チューブ５より空気を陽圧にて送り込むと、まず後方中空層６に空気が溜まり後方バルーン４が伸展し、ある程度の空気圧になると更に後方伸展シース部３が伸展して後方バルーン弁２が後退し、後方バルーン弁２により塞がれていた後方弁孔１８が開き空気が体部中空層７に流入する。体部中空層７の圧が徐々に上昇すると体部伸展シース部８、前方注入チューブ移動管９、伸展ゴム外套１０が前方へ伸展し、前方移動バルーンリング１３を前方へ押し進める。体部中空層７に空気が十分充填され伸展部分が伸びきると牽引糸１１によりバネ１４にて前方弁孔２０を塞ぐ位置に固定されていた前方バルーン弁１２が後方へ牽引され前方弁孔２０が開き前方中空層１６に空気が流入して徐々に空気圧が上昇して前方バルーン１５が拡張する。
次に後方注入チューブ５から陰圧で空気を引くと後方バルーン４、後方伸展シース部３が縮小し一度後方バルーン弁２が後方弁孔１８を塞いだ後、更に後方伸展シース部３が縮小する事で前方へ突出し後方弁孔１８が開き体部中空層７より空気が逆流する。体部中空層７より空気が流出すると体部伸展シース部８、前方注入チューブ移動管９、伸展ゴム外套１０が収縮し、牽引糸１１が緩みバネ１４にて前方バルーン弁１２が前方に引き戻され前方弁孔２０を塞ぐ位置に固定される。体部伸展シース部８、前方注入チューブ移動管９、伸展ゴム外套１０が収縮する事で後方バルーン台１は前方へ引き寄せられる。更に収縮して前方バルーン弁１２の後方が後方バルーン台１に押し付けられるとバネ１４が収縮して前方弁孔２０が開き前方中空層１６の空気が流出して前方バルーン１５が収縮する。
又、前後の弁孔を共に小さくし、前方弁孔２０の径を後方弁孔１８の径より極端に小さい径とする事で前後のバルーン弁２、１２を用いなくとも注入チューブ５より陽圧で空気を送り陰圧で空気を引く同様の操作にて中空層６、７、１６の空気圧の差を生み出す事が出来、殆ど同じ前進運動が可能であるが、本発明では前後のバルーン弁２、１２を用い、空気圧の変化による前進運動を確実なものとした。
【発明を実施するための最良の形態】
【０００５】本発明はこの様な形態であるから、後方バルーン４を拡張させ後方バルーン台１を腸管に固定した後、体部伸展シース部８、前方注入チューブ移動管９、伸展ゴム外套１０が前方へ伸展して前方移動バルーンリング１３を前方へ押し進め、次いで前方バルーン１５を拡張させて前方移動バルーンリング１３を腸管に固定した後、後方バルーン４を縮小させ後方バルーン台１と腸管との固定を解除し、体部伸展シース部８、前方注入チューブ移動管９、伸展ゴム外套１０が収縮する事で後方バルーン台１は前方へ引き寄せられ腸管内を前進し、前方バルーン１５が収縮して一連の運動を終える。
本発明の前方方向に大腸内視鏡ファイバーに固定するリング状のストッパーを設け、本発明が大腸内視鏡ファイバーの先端より進まない様にする事でることで大腸内視鏡ファイバーを一緒に奥へ前進させる事ができる。又、前方注入チューブ１７と後方注入チューブ５を連結し前後に同様のシースをつなげてゆく事で前進の為の推進力を増す事が可能である。さらに本案のシースの後方にチューブ状の大腸内視鏡シースを連結させた場合はよりいっそう大腸ファイバーの摩擦を軽減し大腸ファイバーの前後の可動性を向上する事が可能である。
前方弁孔２０、前方バルーン弁１２を用いず、前方バルーン４の拡張、収縮を前方バルーン専用注入チューブ２３にて行い前方バルーン専用注入チューブ移動管２４を後方バルーン台１に設けた本発明を図８に示す。
【発明の効果】
【０００６】この様な構造であるから本発明の自動移動式のシースは難渋する大腸内視鏡ファイバーの挿入手技を容易とし、かつ大腸内視鏡ファイバーを用いそのまま回腸、腔腸までの挿入を可能にできる。又、内部は外部から完全に遮断された状態で清潔に保つ事が出来、大腸内視鏡ファイバーと同様に洗浄して使用する事が出来る。
【図面の簡単な説明】
【図１】前方注入チューブ移動管９、伸展ゴム外套１０、前方後方バルーン１５、４を断面とした本発明内部の平面図。
【図２】後方バルーン台１の正面図。
【図３】後方バルーン台１の背面図。
【図４】後方バルーン台１の側面図。
【図５】前方移動バルーンリング１３の正面図。
【図６】前方移動バルーンリング１３の背面図。
【図７】前方移動バルーンリング１３の前方バルーン１５を断面とした側面図。
【図８】前方注入チューブ移動管９、伸展ゴム外套１０、前方後方バルーン１５、４を断面とし、前方バルーン専用注入チューブ２３、前方バルーン専用注入チューブ移動管２４を用いた本発明内部の平面図。
【図９】本発明の斜視図。
【符号の説明】
１後方バルーン台
２後方バルーン弁
３後方伸展シース部
４後方バルーン
５後方注入チューブ
６後方中空層
７体部中空層
８体部伸展シース部
９前方注入チューブ移動管
１０伸展ゴム外套
１１牽引糸
１２前方バルーン弁
１３前方移動バルーンリング
１４バネ
１５前方バルーン
１６前方中空層
１７前方注入チューブ
１８後方弁孔
１９後方シース管
２０前方弁孔
２１リング部チューブ移動管
２２リング部シース管
２３前方バルーン専用注入チューブ
２４前方バルーン専用注入チューブ移動管
【図１】
2006026372.tif 000003
【図２】
2006026372.tif 000004
【図３】
2006026372.tif 000005
【図４】
2006026372.tif 000006
【図５】
2006026372.tif 000007
【図６】
2006026372.tif 000008
【図７】
2006026372.tif 000009
【図８】
2006026372.tif 000010
【図９】
2006026372.tif 000011